(57)【要約】      （修正有）【課題】位置決め部材の上端に部材を設けないため、部材が作業に干渉することがなく、比較的小さな孔でも穿設することができる穿孔機を提供する。【解決手段】主軸と、二つの位置決め部材４０とを含み、主軸はスリーブを具え、同軸上に中心ドリル２２を固定し、スリーブの直径方向に十字状に固定して桿体を設け、二つの位置決め部材は桿体の両側にそれぞれ滑動自在に設けるため直径方向に設けられた貫通孔と、内部底面から軸方向に貫通孔まで貫通して形成された穿孔と、穿孔に貫通するように外周面に形成されたネジ孔と、ネジ孔に対応して設けられる第一円錐ブロック５１を底面に設け、穿孔の内部に滑動自在に設けられた当接ブロック５０と、前端に第二円錐ブロック６１が設けられ、当接ブロック５０の第一円錐ブロック５１に当接するように設けるネジと、それぞれカッター位置決めネジ７１で位置決め部材４０に固定される二つのカッター７０とを含んでいる。【選択図】図４
0003151167.tif 000002
【実用新案登録請求の範囲】
【請求項１】
主軸と、二つの位置決め部材とを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、直径方向に貫通して設けられ、該二つの位置決め部材がそれぞれ桿体の両側に滑動自在に設けられる貫通孔と、該二つの位置決め部材の内部には底面から軸方向に貫通孔まで貫通して設けられた穿孔と、該位置決め部材の外周面には位置決め部材の穿孔に貫通して設けられたネジ孔と、ネジ孔に対応して設けられた第一円錐ブロックを底面に設けてなり、穿孔の内部に滑動自在に設けられた当接ブロックと、前端に第二円錐ブロックが設けられ、当接ブロックの第一円錐ブロックに当接するように設けられたネジと、それぞれカッター位置決めネジで位置決め部材に固定される二つのカッターとを含んでなることを特徴とする穿孔機。
【請求項２】
前記位置決め部材が、カッターを設ける位置に凹溝を設けてなり、該凹溝は内部にネジ孔を設けてなり、カッターのネジ孔に対応する位置に孔が設けられ、二つのカッター位置決めネジをそれぞれカッターの孔に貫通して位置決め部材のネジ孔に固定して設けてカッターを位置決め部材上に固定することができることを特徴とする請求項１に記載の穿孔機。
【請求項３】
前記スリーブが、直径方向に貫通して穿孔を設けてなり、桿体が直径方向にスリーブの穿孔に貫通し、桿体がスリーブ上に固定して設けられることを特徴とする請求項１に記載の穿孔機。
【請求項４】
前記位置決め部材が、横型部材を設けてなり、該横形部材は中央が凹状に形成され、該凹状の両端縁部に斜面を設けてなり、該横形部材をネジ孔に設けると、凹状の部分が当接ブロックの第一円錐ブロックに対応して設けられ、ネジをきつくしめると、横型部材の斜面が第一円錐ブロックを上方に押し圧することを特徴とする請求項１に記載の穿孔機。
【請求項５】
主軸と、二つの位置決め部材と、二つのカッターとを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、桿体の両側に滑動自在に設けられ、桿体を滑動かして適宜な位置に調節して適宜な位置に固定することができ、
二つのカッターはそれぞれ、カッター位置決めネジで位置決め部材に固定され、スリーブの外周面にカッター位置決めネジの位置に対応して凹孔が設けられ、該凹孔がカッター位置決めネジを収納するために供し、該二つの位置決め部材が隣接すると、カッター位置決めネジがスリーブの凹孔に収納されるため、二つのカッターの距離を最小にして小さな孔を穿設することができることを特徴とする穿孔機。
【請求項６】
前記位置決め部材が、カッターの位置に凹溝を設けてなり、該凹溝は内部にネジ孔を設けてなり、カッターがネジ孔に対応する位置に孔を設けてなり、該二つのカッター位置決めネジがそれぞれカッターの孔を貫通して位置決め部材のネジ孔に固定されるため、カッターが位置決め部材上に固定されることを特徴とする請求項５に記載の穿孔機。
【請求項７】
前記スリーブが、直径方向に貫通して穿孔を設けてなり、桿体が直径方向にスリーブの穿孔を貫通し、桿体がスリーブ上に固定して設けられることを特徴とする請求項５に記載の穿孔機。
【請求項８】
前記位置決め部材が、直径方向に設けられた貫通孔と、軸方向に設けられた穿孔とを具えてなり、該貫通孔が位置決め部材の底部から貫通孔に貫通し、ネジ孔が位置決め部材の外周面から穿孔に貫通して設けられ、当接ブロックが第一円錐ブロックを設けてなり、当接ブロックが滑動して穿孔に挿入され、横型部材は中央が凹状で、両端縁に斜面が形成され、該横型部材がネジ孔に挿入されて、中央の凹状の部分が当接ブロックの第一円錐ブロックに対応し、該横型部材がカッター位置決めネジに当接し、桿体が位置決め部材の貫通孔を貫通し、位置決め部材を適宜な位置に調節する場合、ネジをきつくしめると、横型部材の斜面が当接ブロックの第一円錐ブロックに当接して押し圧し、当接ブロックが桿体を位置決めすることを特徴とする請求項５に記載の穿孔機。
【考案の詳細な説明】
【技術分野】
【０００１】
この考案は、穿設機に関し、特に孔を形成するために供する穿設機に関する。
【背景技術】
【０００２】
図１は、従来の穿設機を示した分解図で、図２が断面図、図３が最も狭い平面を示した断面図である。
【０００３】
図面によれば、従来の穿設機は、主軸１０と、スリーブ１１で該主軸１０に連結された中心ドリル１２と、該スリーブ１１に直径方向に設けられた穿孔１１１と、該穿孔１１１に穿設して固定された桿体１３と、二つの位置決め部材１４と、該位置決め部材１４の上部に設けられるネジ溝１４１と、該位置決め部材１４のネジ溝１４１の位置に設けられた当接部材１５、及びネジ溝１４１に設けて緊密さを調整する翼状のナット１６と、該位置決部材１４の直径方向に設けられ、桿体１３を貫通して設けるために供する貫通孔１４２と、位置決め部材１４に貫通孔１４２から中心ドリルの方向に向けて周辺に軸方向下方に設けられ、カッター１７を設けるために供する溝１４３と、溝１４３の内部に設けられたネジ孔１４４と、カッター１７に対応してネジ孔１４４に設けられた孔１７１と、孔１７１を貫通してネジ孔１４４に穿設されて、カッター１７を位置決め部材の１４の溝１４３内に固定するネジ１８と、を含んでなり、該桿体１３と中心ドリル１２、及び主軸１０とスリーブ１１とが交錯して十字状を呈する。
【０００４】
該位置決め部材１４の位置は、必要に応じていつでも調節することができ、穿設する孔のサイズにより決定する。
【０００５】
図２は、大きな孔を穿設する場合を示したものであって、図３は、孔の直径が距離Ａとなる小さな孔を穿設する場合を示したものである。
【０００６】
カッター１７は、ネジ１８で位置決め部材１４上に固定される。該位置決め部材１４は貫通孔１４２により桿体１３上に貫設されて、位置を調節することができる。
【０００７】
位置を調節する場合、適宜な位置に調節したら、ナット１６を緊密にしめればよい。
【０００８】
ナット１６を緊密にしめると、当接部材１５が緊密に当接される。該当接部材１５の断面は、コ字型を呈し、位置決め部材１４の外側を被覆するように設けられる。
【０００９】
よって、ナット１６を緊密にしめると、当接部材１５が桿体１３を下方に押し圧すると同時に、ナット１６のネジ溝が位置決め部材１４を上方に引き上げるため位置決め部材１４の貫通孔１４２が上方に移動して桿体１３に密接し、桿体１３を上下から緊密に挟持して、位置決め部材１４を固定する目的を達成する。
【００１０】
しかしながら、従来の穿孔機は、位置決め部材に次のような問題がある。
【００１１】
従来の穿孔機は、位置決め部材から突出するネジ溝、位置決め部材の上方に設けられる当接部材、翼状のナットなどを含む上端に部材が比較的多い。
【００１２】
部材が多いため、様々な部材を調整しなければ作業ができないなど部材が作業に干渉するという状況が発生し易く、作業をスムーズに進めることができない。
【００１３】
図３に開示するように、比較的小さい孔を穿設する場合、従来の穿孔機は、孔のサイズに合わせて幅を調節する。
【００１４】
しかしながら、翼状のナット、当接部材、或いはカッターに固定されたネジがいずれもスリーブに当接して設けられているため、調節できる幅が制限される。
【００１５】
よって、従来の穿孔機は、比較的小さいサイズの孔を穿設することができず、使用範囲に比較的多く制限を受ける。
【考案の開示】
【考案が解決しようとする課題】
【００１６】
この考案は、位置決め部材の上端に部材を設けないため、部材が作業に干渉することがなく、比較的小さな孔でも穿設することができる穿孔機を提供することを課題とする。
【課題を解決するための手段】
【００１７】
そこで、本考案者は従来の技術に見られる欠点に鑑みて鋭意研究を重ねた結果、
主軸と、二つの位置決め部材とを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、直径方向に貫通して設けられ、該二つの位置決め部材がそれぞれ桿体の両側に滑動自在に設けられる貫通孔と、該二つの位置決め部材の内部には底面から軸方向に貫通孔まで貫通して設けられた穿孔と、該位置決め部材の外周面には位置決め部材の穿孔に貫通して設けられたネジ孔と、ネジ孔に対応して設けられた第一円錐ブロックを底面に設けてなり、穿孔の内部に滑動自在に設けられた当接ブロックと、前端に第二円錐ブロックが設けられ、当接ブロックの第一円錐ブロックに当接するように設けられたネジと、それぞれカッター位置決めネジで位置決め部材に固定される二つのカッターとを含んでなる構造からなる穿孔機の構造によって課題を解決できる点に着眼し、かかる知見に基づいて本考案を完成させた。
【００１８】
以下、この考案について具体的に説明する。
請求項１に記載の穿孔機は、主軸と、二つの位置決め部材とを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、直径方向に貫通して設けられ、該二つの位置決め部材がそれぞれ桿体の両側に滑動自在に設けられる貫通孔と、該二つの位置決め部材の内部には底面から軸方向に貫通孔まで貫通して設けられた穿孔と、該位置決め部材の外周面には位置決め部材の穿孔に貫通して設けられたネジ孔と、ネジ孔に対応して設けられた第一円錐ブロックを底面に設けてなり、穿孔の内部に滑動自在に設けられた当接ブロックと、前端に第二円錐ブロックが設けられ、当接ブロックの第一円錐ブロックに当接するように設けられたネジと、それぞれカッター位置決めネジで位置決め部材に固定される二つのカッターとを含んでなる。
【００１９】
請求項２に記載の穿孔機は、請求項１における位置決め部材が、カッターを設ける位置に凹溝を設けてなり、該凹溝は内部にネジ孔を設けてなり、カッターのネジ孔に対応する位置に孔が設けられ、二つのカッター位置決めネジをそれぞれカッターの孔に貫通して位置決め部材のネジ孔に固定して設けてカッターを位置決め部材上に固定することができる。
【００２０】
請求項３に記載の穿孔機は、請求項１におけるスリーブが、直径方向に貫通して穿孔を設けてなり、桿体が直径方向にスリーブの穿孔に貫通し、桿体がスリーブ上に固定して設けられる。
【００２１】
請求項４に記載の穿孔機は、請求項１における位置決め部材が、横型部材を設けてなり、該横形部材は中央が凹状に形成され、該凹状の両端縁部に斜面を設けてなり、該横形部材をネジ孔に設けると、凹状の部分が当接ブロックの第一円錐ブロックに対応して設けられ、ネジをきつくしめると、横型部材の斜面が第一円錐ブロックを上方に押し圧する。
【００２２】
請求項５に記載の穿孔機は、主軸と、二つの位置決め部材と、二つのカッターとを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、桿体の両側に滑動自在に設けられ、桿体を滑動かして適宜な位置に調節して適宜な位置に固定することができ、
二つのカッターはそれぞれ、カッター位置決めネジで位置決め部材に固定され、スリーブの外周面にカッター位置決めネジの位置に対応して凹孔が設けられ、該凹孔がカッター位置決めネジを収納するために供し、該二つの位置決め部材が隣接すると、カッター位置決めネジがスリーブの凹孔に収納されるため、二つのカッターの距離を最小にして小さな孔を穿設することができる。
【００２３】
請求項６に記載の穿孔機は、請求項５における位置決め部材が、カッターの位置に凹溝を設けてなり、該凹溝は内部にネジ孔を設けてなり、カッターがネジ孔に対応する位置に孔を設けてなり、該二つのカッター位置決めネジがそれぞれカッターの孔を貫通して位置決め部材のネジ孔に固定されるため、カッターが位置決め部材上に固定される。
【００２４】
請求項７に記載の穿孔機は、請求項５におけるスリーブが、直径方向に貫通して穿孔を設けてなり、桿体が直径方向にスリーブの穿孔を貫通し、桿体がスリーブ上に固定して設けられる。
【００２５】
請求項８に記載の穿孔機は、請求項５における位置決め部材が、直径方向に設けられた貫通孔と、軸方向に設けられた穿孔とを具えてなり、該貫通孔が位置決め部材の底部から貫通孔に貫通し、ネジ孔が位置決め部材の外周面から穿孔に貫通して設けられ、当接ブロックが第一円錐ブロックを設けてなり、当接ブロックが滑動して穿孔に挿入され、横型部材は中央が凹状で、両端縁に斜面が形成され、該横型部材がネジ孔に挿入されて、中央の凹状の部分が当接ブロックの第一円錐ブロックに対応し、該横型部材がカッター位置決めネジに当接し、桿体が位置決め部材の貫通孔を貫通し、位置決め部材を適宜な位置に調節する場合、ネジをきつくしめると、横型部材の斜面が当接ブロックの第一円錐ブロックに当接して押し圧し、当接ブロックが桿体を位置決めする。
【考案の効果】
【００２６】
この考案による穿孔機は、部材が作業の進行を干渉しないため、スムーズに作業を進めることができるという効果を有する。
【００２７】
また、この考案の穿孔機は、二つのカッターの距離を最小に調整することができるため、小さな孔を穿設することができるという効果を有する。
【考案を実施するための最良の形態】
【００２８】
この考案は、位置決め部材の上端に部材を設けないため、部材が作業に干渉することがなく、比較的小さな孔でも穿設することができる穿孔機であって、主軸と、二つの位置決め部材とを含んでなり、
該主軸は、スリーブを具えてなり、主軸のスリーブと同軸上に中心ドリルを固定し、該スリーブの直径方向に十字状に交錯して桿体を固定して設け、
該二つの位置決め部材は、直径方向に貫通して設けられ、該二つの位置決め部材がそれぞれ桿体の両側に滑動自在に設けられる貫通孔と、該二つの位置決め部材の内部には底面から軸方向に貫通孔まで貫通して設けられた穿孔と、該位置決め部材の外周面には位置決め部材の穿孔に貫通して設けられたネジ孔と、ネジ孔に対応して設けられた第一円錐ブロックを底面に設けてなり、穿孔の内部に滑動自在に設けられた当接ブロックと、前端に第二円錐ブロックが設けられ、当接ブロックの第一円錐ブロックに当接するように設けられたネジと、それぞれカッター位置決めネジで位置決め部材に固定される二つのカッターとを含んでなる穿孔機の構造と特徴を詳述するために具体的な実施例を挙げ、図示を参照にして以下に説明する。
【実施例】
【００２９】
図４は、この考案の穿孔機を示した分解図である。
【００３０】
図面によれば、この考案は、主軸１０と、桿体３０と、二つの位置決め部材４０と、二つのカッター７０とを含んでなる。
【００３１】
該主軸２０は、直径方向に穿孔２１１を貫設したスリーブ２１を設けてなり、主軸２０とスリーブ２１の同軸上に中心ドリル２２を固定して設ける。
【００３２】
該桿体３０は、主軸２０のスリーブ２１の穿孔２１１に直径方向に貫通され、桿体３０がスリーブ２１上に固定される。
【００３３】
該二つの位置決め部材４０は、貫通孔４１と、穿孔４２と、ネジ孔４３と、当接ブロック５０と、ネジ６０と、を含んでなる。
【００３４】
該貫通孔４１は、直径方向に貫通して貫設される。該二つの位置決め部材４０は、それぞれ貫通孔４１で桿体３０の両側に滑動自在に設けられる。
【００３５】
該穿孔４２は、二つの位置決め部材４０の内部に底面から軸方向に設けられ、貫通孔４１まで貫通して設けられる。
【００３６】
該ネジ孔４３は、外周面に設けられ、位置決め部材４０の穿孔４２まで貫通して形成される。
【００３７】
該当接ブロック５０は、底面に第一円錐ブロック５１を具えてなる。該当接ブロック５０は、穿孔４２の内部を滑動し、第一円錐ブロック５１がネジ孔４３に接続される。
【００３８】
該ネジ６０は、前はしに第二円錐ブロック６１を設けてなる。該ネジ６０はネジ溝６２で位置決め部材４０のネジ孔４３に固定して設けられ、第二円錐ブロック６１が当接ブロック５０の第一円錐ブロック５１に当接して押し圧する。
【００３９】
該位置決め部材４０の中心ドリル２２に対向する外周面には凹溝４４が形成される。
【００４０】
該二つのカッター７０は、孔７０１と、二つのカッター位置決めネジ７１とを含んでなる。
【００４１】
該カッター７０は、それぞれ位置決め部材４０の凹溝４４に設けられる。該凹溝４４は内側にネジ孔４４１（図７参照）を設けてなる。
【００４２】
該孔７０１は、ネジ孔４４１に対応して設けられる。
【００４３】
該二つのカッター位置決めネジ７１は、それぞれカッター７０の孔７０１を貫通して位置決め部材４０のネジ孔４４１に固定して設けられ、カッター７０が位置決め部材４０上に固定される。
【００４４】
該スリーブ２１は外周面に、カッター位置決めネジ７１の位置に対応して凹孔２１２を設けてなる。該凹孔２１２は、カッター位置決めネジ７１を収納するために供する。
【００４５】
図５は、この考案の平面図を示したものであって、図６は、図５の６−６の方向に切断した場合を示した断面図である。
【００４６】
図４から図６に開示するように、上述のように組み合わせると、位置決め部材４０を予め設定された位置に調節した後、ネジ６０をきつくしめると第二円錐ブロック６１が当接ブロック５０及び第一円錐ブロック５１に密接に当接し、押し圧するため桿体３０と密接に接続する。
【００４７】
即ち、当接ブロック５０が貫通孔４１を通して桿体３０と緊密に当接し、位置決め部材４０を位置決めして固定する目的を達成する。
【００４８】
また、位置決め部材４０の上端には何も部材が設けられていないため、作業が干渉されることがない。
【００４９】
図７は、この考案の穿孔機で小さな孔を穿設する場合の平面図を示したものである。
【００５０】
図面によれば、位置決め部材４０は、いつでも緩めて位置を調節することができる。
【００５１】
カッター７０は、カッター位置決めネジ７１で固定される。
【００５２】
スリーブ２１にはカッター位置決めネジ７１に対応する位置に凹孔２１２が設けられる。
【００５３】
よって、小さい孔を穿設する場合、位置決め部材４０をスリーブ２１の方向に押し動かすと、カッター位置決めネジ７１がスリーブ２１に接近する。
【００５４】
位置決め部材４０を引き続き動かしてスリーブ２１に隣接すると、カッター位置決めネジ７１がスリーブ２１の凹孔２１２内に収納されるため、カッター７０との距離Ｂを最小にすることができるため、小さな孔もスムーズに穿設することができる。
【００５５】
図８、図９に開示するように、該位置決め部材４０は、直径方向に設けられた貫通孔４１と、軸方向に設けられた穿孔４２とを設けてなる。
【００５６】
該穿孔４２は、位置決め部材４０の底部から貫通孔４１に貫通して設けられる。
【００５７】
ネジ孔４３は位置決め部材４０の外周面から穿孔４２に貫通して設けられる。
【００５８】
当接ブロック５０は、第一円錐ブロック５１を設けてなる。該当接ブロック５０は穿孔４２に滑動自在に設けられる。
【００５９】
横型部材８０は、中央が凹状に形成され、両端縁部に斜面８１を設けてなる。該横型部材８０はネジ孔４３に挿設され、凹部が当接ブロック５０の第一円錐ブロック５１に対応する。
【００６０】
よって、該横型部材８０は、カッター位置決めネジ７１を支持することができる。
【００６１】
該ネジ６０はネジ溝６２でネジ孔４３に固定して設けられ、ネジ６０の前方端縁部が横型部材８０に当接して押し圧する。
【００６２】
このため、該桿体３０が位置決め部材４０の貫通孔４１に貫通され、位置決め部材４０を調節して位置決めすると、ネジ６０が回転して横型部材８０と緊密に接続し、横型部材８０の斜面８１が当接ブロック５０の第一円錐ブロック５１に押し圧し、当接ブロック５０が桿体３０と緊密に接続して位置決めする目的を達成することができる。
【００６３】
上述のように、この考案の穿孔機は、位置決め部材の上端に何も部材が設けられていない。
【００６４】
よって、作業を干渉する部材がないため、作業をスムーズに進めることができる。
【００６５】
この考案の穿孔機は、位置決め部材の内部に設けられた穿孔と貫通孔とが互いに貫通し、ネジ孔と穿孔とが互いに貫通し、穿孔の内部に当接ブロックを設けてネジ孔をネジを螺接するために供し、当接ブロックには第一円錐ブロックが設けられ、ネジには第二円錐ブロックが設けられ、第二円錐ブロックが第一円錐ブロックに当接する。
【００６６】
よって、位置決め部材を滑動させて位置決めする場合、ネジをきつくしめるだけで当接ブロックが桿体に密接に接続して位置決め部材を固定することができる。
【００６７】
構成する部材が少なく、部材のほとんどが位置決め部材の内部に設けられるため、外部には最小の部材だけが設けられる。
【００６８】
このため、部材が作業の進行を干渉することがない。
【００６９】
また、スリーブに凹孔を設けて、小さい孔を穿設する場合、位置決め部材のカッター位置決めネジを該凹孔に収納することができるため、二つのカッターの距離を最小にして小さな孔を穿設することができる。
【００７０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００７１】
【図１】従来の穿孔機を示した分解図である。
【図２】従来の穿孔機を示した平面図である。
【図３】従来の穿孔機で小さな孔を穿設するように調節した状態を示した説明図である。
【図４】この考案の穿孔機を示した分解図である。
【図５】この考案の穿孔機を示した平面図である。
【図６】図５に開示する穿孔機を６−６で切断した状態を示した断面図である。
【図７】この考案の穿孔機で小さな孔を穿設するように調節した状態を示した説明図である。
【図８】この考案の穿孔機の他の実施形態を示した分解図である。
【図９】図８に開示する穿孔機を組み合わせた状態を示した断面図である。
【符号の説明】
【００７２】
１０       主軸
１１       スリーブ
１１１     穿孔
１２       中心ドリル
１３       桿体
１４       位置決め部材
１４１     ネジ溝
１４２     貫通孔
１４３     溝
１４４     ネジ孔
１５       当接部材
１６       ナット
１７       カッター
１７１     孔
１８       ネジ
２０       主軸
２１       スリーブ
２１１     穿孔
２１２     凹孔
２２       中心ドリル
３０       桿体
４０       位置決め部材
４１       貫通孔
４２       穿孔
４３       ネジ孔
４４       凹溝
４４１     ネジ孔
５０       当接ブロック
５１       第一円錐ブロック
６０       ネジ
６１       第二円錐ブロック
６２       ネジ溝
７０       カッター
７０１     孔
７１       カッター位置決めネジ
８０       横型部材
８１       斜面
Ａ         距離
Ｂ         距離
【図１】
0003151167.tif 000003
【図２】
0003151167.tif 000004
【図３】
0003151167.tif 000005
【図４】
0003151167.tif 000006
【図５】
0003151167.tif 000007
【図６】
0003151167.tif 000008
【図７】
0003151167.tif 000009
【図８】
0003151167.tif 000010
【図９】
0003151167.tif 000011